(57)【要約】【課題】暗号化ファイルの解除キーを第三者に漏れることなく受信でき、かつ、暗号化ファイルを安全に受信する。【解決手段】携帯端末装置１００は、第１外部装置１０４から暗号化された暗号化ファイルを無線にて受信する無線インターフェース１０２と、第２外部装置１０８から暗号化ファイルに関する解除キーを表わす解除キー情報を無線にて受信するパーソナル近接インターフェース１０５と、を備える。【選択図】図１
2012231450.tif 000002
【特許請求の範囲】
【請求項１】
外部装置と無線通信する携帯端末装置であって、
第１外部装置から暗号化された暗号化ファイルを無線にて受信する暗号化ファイル受信部と、
第２外部装置から、前記暗号化ファイルに関する解除キーを表わす解除キー情報を無線にて受信する解除キー情報受信部と、
を備えることを特徴とする携帯端末装置。
【請求項２】
前記暗号化ファイル受信部は、携帯電話およびＷｉＦｉインターフェースのいずれかであることを特徴とする請求項１に記載の携帯端末装置。
【請求項３】
前記暗号化ファイルは、画像形成装置によって読み取られた原稿のファイルであることを特徴とする請求項１に記載の携帯端末装置。
【請求項４】
前記解除キー情報受信部は、
前記第２外部装置の表示部に表示された前記解除キーを表す画像であるクイックレスポンスコードの画像を撮影するカメラ、あるいは、
前記第２外部装置の音声出力部によって出力される前記解除キーを表す音声情報を取得するマイクロフォン、あるいは、
近接場での無線周波数を検出可能なＲＦ検出器、
のいずれか１つであることを特徴とする請求項１から３のいずれか１項に記載の携帯端末装置。
【請求項５】
携帯端末装置へ無線送信されるファイルを安全に復号する方法であって、
前記携帯端末装置が、
暗号化ファイル受信部にて、第１外部装置から暗号化された暗号化ファイルを無線で受信する工程と、
解除キー情報受信部にて、第２外部装置から前記暗号化ファイルに関する解除キーを表わす解除キー情報を無線で受信する工程と、を含むことを特徴とする方法。
【請求項６】
暗号化された暗号化ファイルを携帯端末装置へ安全に無線送信するシステムであって、
前記暗号化ファイルを携帯端末装置へ無線にて送信するための暗号化ファイル送信部を有する第１装置と、
前記携帯端末装置へ無線にて前記暗号化ファイルに関する解除キーを表わす解除キー情報を送信するための解除キー情報送信部を有する第２装置と、を備え、
前記解除キー情報送信部は、表示部、音声スピーカ、印字シートおよび近接場での無線周波数を送信可能なＲＦ送信器のいずれか１つであることを特徴とするシステム。
【請求項７】
前記第２装置の解除キー情報送信部は、
前記解除キーをクイックレスポンスコードの画像として表示するための表示部、あるいは、
前記解除キーを表す音声情報を出力する音声出力部、あるいは、
近接場での無線周波数を送信可能なＲＦ送信器、のいずれか１つであることを特徴とする請求項６に記載のシステム。
【請求項８】
携帯端末装置へ無線送信される暗号化ファイルを保護する方法であって、
第１装置が、無線にて暗号化された暗号化ファイルを携帯端末装置へ送信する工程と、
第２装置が、無線にて前記暗号化ファイルに関する解除キーを表わす解除キー情報を前記携帯端末装置へ送信する工程と、を含むことを特徴とする方法。
【発明の詳細な説明】
【技術分野】
【０００１】
本発明は、一般にデジタル通信を安全に行うことに関し、特に、無線通信型の携帯端末装置に配信される解除キー（復号キー）を保護するシステムと方法とに関するものである。
【背景技術】
【０００２】
携帯電話および関連する携帯端末装置が高性能になるにつれて、文書を持ち運んだり読んだり、または配信するような機能が提供され、携帯電話をメモリや表示装置として利用する機会が高まっている。不幸なことに多くの今日の携帯端末装置は、ＶＰＮ（仮想プライベート・ネットワーク）などの安全なインターネットに接続する機能を有していない。携帯端末装置のユーザは、安全なパーソナルメモリとして自身の携帯電話を使用して文書を保存し、読出し、共有しまたは印刷することを希望している。また、文書が流出したり盗まれたりする危険に晒されることなく安全に配信されることが必要である。
【０００３】
ここで、特許文献１には、スキャンした画像を暗号化して送信する技術が開示されている。
【先行技術文献】
【特許文献】
【０００４】
【特許文献１】特開２００９−５０７９号公報
【発明の概要】
【発明が解決しようとする課題】
【０００５】
本発明の課題の１つは、公共の無線ネットワーク接続を介したデータの配信中に盗聴や乗っ取りを受けることなく、携帯端末装置に対して機密文書を作成し、配信し、保存する方法を見つけ出すことである。理想的な解決策としては、コピーセンターまたは法人の多機能周辺機器（ＭＦＰ）のコピー／スキャン機器などの公共のまたは個人の施設において使用が可能となることである。それは、ＭＦＰ上、ＭＦＰに対してアプリケーションサービスを提供するサーバ上、またはその双方上で起動する所有のソフトウェアと組み合わせて、対象の携帯端末装置上の市販のソフトウェアを利用することにより実現する。
【０００６】
上記課題に対する従来のアプローチには、スキャンする文書の宛先として電子メールアドレスを入力してからその人の電子メールアカウントへ、ポータブル・ドキュメント・フォーマット（ＰＤＦ）ファイルとして文書をスキャンして配信するために、ＭＦＰを利用するものがある。その後電子メールを受け取った人は、電子メールプログラムを利用して添付のＰＤＦファイルを読取って保存する。スキャン時にパスワードの設定が必要であったり、電子メール添付物の受取保存後に添付物をデジタルに暗号化するAdobe（登録商標）のAcrobat（登録商標）などのＰＤＦエディタの利用が必要なものもある。ＭＦＰと携帯端末装置の両方に長くて安全なパスワードを入力することは難しいため、短くて安全かは不確かなパスワードが使用される場合がある。
【０００７】
それから、携帯端末装置をコンピュータへ物理的に接続したり、Bluetooth（登録商標）などの無線接続を介して繋いだりする必要があり、暗号化文書が見られないよう安全を確保して携帯端末装置へ複写する。この手順は、アクセサリがすべて提供されている職場では可能である。しかしながら、コピーセンターのような公共の場で、ケーブルやドライバを公共のワークステーションに持ち込んだり、個人の電子メールアカウントを利用可能にすることは困難である。
【０００８】
いずれにせよ、このような手順は、何らかの情報（パスワード、電子メールアドレス、添付位置、およびメモリデバイスドライバ）のキー要素を覚えておいて、不慣れなシステムに打ち込まなければならないという厄介なものであり、時間がかかり、間違いやすいものである。しかも、自覚なしに、覗かれやすく記録されやすい公共の場所でやらなければならない場合もある。
【０００９】
よって、解除キーがより安全なインターフェースによって送信されながら、暗号化ファイルが無線装置に公共のネットワークを利用して送信されれば、好都合である。
【００１０】
また、特許文献１に記載の方法を用いた場合、暗号解除のための設定操作を容易に行えないという問題がある。さらに、受信した側にて画像を復号する復号化手段を有していることが前提であり、有していない場合には、受信した側で暗号化画像を表示することができない。
【００１１】
そこで、本願発明は、上記の問題に鑑み、その目的は、暗号化された原稿ファイルである暗号化ファイルを解読（復号）する解除キーを第三者に漏れることなく携帯端末装置に送信でき、かつ、暗号化ファイルを安全に携帯端末装置に送信できるシステムを提供することにある。
【課題を解決するための手段】
【００１２】
本発明に係る携帯端末装置は、上記課題を解決するために、外部装置と無線通信する携帯端末装置であって、第１外部装置から暗号化された暗号化ファイルを無線にて受信する暗号化ファイル受信部と、第２外部装置から、前記暗号化ファイルに関する解除キーを表わす解除キー情報を無線にて受信する解除キー情報受信部と、を備えることを特徴としている。
【００１３】
上記構成によると、暗号化ファイルは暗号化ファイル受信部により無線にて受信し、暗号化ファイルに関する解除キーを表わす解除キー情報は、解除キー情報受信部により無線にて受信する。よって、暗号化ファイルを解読（復号）する解除キーを第三者に漏れることなく受信でき、かつ、暗号化ファイルを安全に受信することが可能となる。
【００１４】
ここで、前記暗号化ファイル受信部は、携帯電話およびWiFiインターフェースのいずれかであってもよい。
【００１５】
本発明に係る携帯端末装置では、上記構成に加え、前記暗号化ファイル受信部は、前記暗号化ファイルを、画像形成装置、ネットワーク・サーバ、およびコンピュータのいずれか１つである前記第１外部装置から受信してもよい。
【００１６】
上記構成によると、画像形成装置、ネットワーク・サーバ、およびコンピュータのいずれか１つである前記第１外部装置から暗号化ファイルを、安全に受信することができる。
【００１７】
本発明に係る携帯端末装置では、上記構成に加え、前記暗号化ファイルは、画像形成装置によって読み取られた原稿のファイルであってもよい。
【００１８】
上記構成によると、画像形成装置によって読み取られた原稿のファイルを安全に受信することができる。
【００１９】
本発明に係る携帯端末装置では、上記構成に加え、前記解除キー情報をデジタル解除キーへ変換する解除キー変換部と、前記デジタル解除キーを用いて前記暗号化ファイルを復号するファイル処理部とを備える。
【００２０】
上記構成によると、携帯端末装置にて受信した暗号化ファイルを復号し、解読することが可能となる。
【００２１】
本発明に係る携帯端末装置では、上記構成に加え、前記解除キー情報受信部は、前記第２外部装置の表示部に表示された前記解除キーを表す画像を撮影するカメラであってもよい。
【００２２】
上記構成によると、携帯端末装置のカメラにより解除キーを表す画像を撮影することで、上記解除キー情報を受信することができる。
【００２３】
本発明に係る携帯端末装置では、上記構成に加え、前記解除キー情報受信部は、前記解除キーを表す画像として、クイックレスポンスコードの画像を撮影してもよい。
【００２４】
上記構成によると、携帯端末装置のカメラにより解除キーを表すクイックレスポンスコードの画像を撮影することで、上記解除キー情報を受信することができる。
【００２５】
本発明に係る携帯端末装置では、上記構成に加え、前記解除キー情報受信部は、前記第２外部装置の音声出力部によって出力される前記解除キーを表す音声情報を取得するマイクロフォンであってもよい。
【００２６】
上記構成によると、携帯端末装置のマイクロフォンにより解除キーを表す音声情報を取得することで、上記解除キー情報を受信することができる。
【００２７】
また、本発明に係る携帯端末装置では、前記解除キー情報受信部は、近接場での無線周波数を検出可能なＲＦ検出器であってもよい。
【００２８】
上記構成によると、ＲＦ検出器により、解除キーを表す無線周波数を受信することができる。
【００２９】
本発明に係る方法は、上記課題を解決するために、携帯端末装置へ無線送信されるファイルを安全に復号する方法であって、前記携帯端末装置が、暗号化ファイル受信部にて第１外部装置から暗号化された暗号化ファイルを無線で受信する工程と、解除キー情報受信部にて、第２外部装置から前記暗号化ファイルに関する解除キーを表わす解除キー情報を無線で受信する工程と、を含むことを特徴としている。
【００３０】
上記方法によると、上記携帯端末装置と同様の効果を奏し、暗号化ファイルを解読（復号）する解除キーを第三者に漏れることなく受信でき、かつ、暗号化ファイルを安全に受信することが可能となる。
【００３１】
本発明に係るシステムは、上記課題を解決するために、暗号化された暗号化ファイルを携帯端末装置へ安全に無線送信するシステムであって、前記暗号化ファイルを携帯端末装置へ無線にて送信するための暗号化ファイル送信部を有する第１装置と、前記携帯端末装置へ無線にて前記暗号化ファイルに関する解除キーを表わす解除キー情報を送信するための解除キー情報送信部を有する第２装置と、を備え、前記解除キー情報送信部は、表示部、音声スピーカ、印字シートおよび近接場での無線周波数を送信可能なＲＦ送信器のいずれか１つであることを特徴としている。
【００３２】
上記構成によると、暗号化ファイルは第１装置の暗号化ファイル送信部により無線にて送信し、暗号化ファイルに関する解除キーを表わす解除キー情報は、第２装置の解除キー情報送信部により無線にて送信する。よって、暗号化ファイルを復号する解除キーを第三者に漏れることなく携帯端末装置に送信でき、かつ、暗号化ファイルを安全に携帯端末装置に送信することができる。
【００３３】
ここで、解除キー情報送信部は、表示部、音声スピーカ、印字シートおよび近接場での無線周波数を送信可能なＲＦ送信器のいずれかであればよい。
【００３４】
ここで、本発明に係るシステムでは、前記第１装置および前記第２装置は同じ装置であってもよい。
【００３５】
本発明に係るシステムでは、上記構成に加え、前記暗号化ファイルは、画像形成装置が原稿を読み取りかつ暗号化したファイルであり、前記画像形成装置が、前記暗号化ファイルを前記第１装置へネットワークを介して送信してもよい。
【００３６】
上記構成によると、画像形成装置が原稿を読み取りかつ暗号化した暗号化ファイルを、安全に携帯端末装置に送信することができる。
【００３７】
本発明に係るシステムでは、上記構成に加え、前記第１装置は、画像形成装置、ネットワーク・サーバ、およびコンピュータのいずれか１つであり、前記第２装置は、画像形成装置およびコンピュータのいずれかであってもよい。
【００３８】
上記構成によると、像形成装置、ネットワーク・サーバ、およびコンピュータのいずれか１つから暗号化ファイルを携帯端末装置に送信でき、画像形成装置およびコンピュータのいずれかから解除キーを表わす解除キー情報を携帯端末装置に送信できる。
【００３９】
本発明に係るシステムでは、上記構成に加え、前記第２装置の解除キー情報送信部は、前記解除キーを表す画像を表示するための表示部であってもよい。
【００４０】
上記構成によると、第２装置の表示部にて解除キーを表す画像を表示することで、上記解除キー情報を送信することができる。
【００４１】
本発明に係るシステムでは、上記構成に加え、前記表示部は、前記解除キーを、クイックレスポンスコードの画像としもよい。
【００４２】
上記構成によると、第２装置の表示部にて解除キーをクイックレスポンスコードの画像として表示することで、上記解除キー情報を送信することができる。
【００４３】
本発明に係るシステムでは、上記構成に加え、前記第２装置の解除キー情報送信部は、前記解除キーを表す音声情報を出力する音声出力部であってもよい。
【００４４】
上記構成によると、第２装置の音声出力部にて、解除キーを表す音声情報を出力することで、上記解除キー情報を送信することができる。
【００４５】
本発明に係るシステムでは、上記構成に加え、前記第２装置は、前記暗号化ファイルに関連するデジタル解除キーを前記解除キーを表わす解除キー情報に変換するキー変換部を備えていてもよい。
【００４６】
上記構成によると、第２装置のキー変換部にて、暗号化ファイルに関連するデジタル解除キーを前記解除キーを表わす解除キー情報に変換することができる。
【００４７】
本発明に係る方法は、上記課題を解決するために、携帯端末装置へ無線送信される暗号化ファイルを保護する方法であって、第１装置が、無線にて暗号化された暗号化ファイルを携帯端末装置へ送信する工程と、第２装置が、無線にて前記暗号化ファイルに関する解除キーを表わす解除キー情報を前記携帯端末装置へ送信する工程と、を含むことを特徴とする。
【００４８】
上記構成によると、上記システムと同様の効果を奏し、暗号化ファイルを解読（復号）する解除キーを第三者に漏れることなく送信でき、かつ、暗号化ファイルを安全に送信することが可能となる。
【００４９】
本発明は、重要な機密文書を得るために、個人情報を打ち込まなくてもよく、また、一連の多くのステップをいちいち踏まなくてもよいサービスシステムを構築することによって、上記課題を解決する手段を開示するものである。またそれは配信する過程でデータを公共の場所でも晒さなくても済むものである。本方法は、カスタマイズされたアプリケーションまたは第三者アプリケーションを携帯端末装置と多機能周辺機器（ＭＦＰ）の両方で起動する能力のような、最新のハードウェアシステムに内蔵されているものを幾つか組合せて成り立っている。携帯機器とＭＦＰはともに機能性と使いやすさを提供する固有の配信システムを形成している。
【００５０】
本発明の一形態では、安全に携帯端末装置へパスワードを配信する既存の２次元バーコード読取り方法と同時に、強固に暗号化された文書を携帯端末装置へ配信することにより、上記課題が解決される。この組合せがこの困難な課題を解決する唯一の方法である。ＭＦＰ内で起動するアプリケーションソフトウェアがＭＦＰにて文書をスキャンしデジタル暗号化する。さらに、そのアプリケーションは、ＭＦＰのディスプレイにカスタム画像を提供する。このカスタム画像によって、アプリケーションは解除キーを携帯電話または類似のデジタルカメラ付機器へ安全に配信できる。またこのアプリケーションは第三者のソフトウェア（Blackberry、iPhone（登録商標）、またはAndroid（登録商標）のレベルの機器）を起動させる能力を提供する。
【００５１】
従って、本発明により、携帯端末装置へ無線送信されるファイルを安全に暗号化する方法が提供される。携帯端末装置は、第１外部装置から暗号化ファイルを受け取るために用いられる携帯電話やWiFi（登録商標）インターフェースなどの無線インターフェースを一般に有している。解除キー表現（解除キーを表わす解除キー情報）は、第２外部装置から、パーソナル近接インターフェースを介して受信される。パーソナル近接インターフェースは、例えば、カメラ、マイクロフォン、または近接場無線周波数（ＲＦ）検出器である。
【００５２】
本発明の一形態では、前記第１外部装置は、例えば、ＭＦＰ、ネットワーク・サーバ、またはコンピュータであってもよい。また、他の形態にでは、第１および第２外部装置が同じ装置であってもよく、それが、ＭＦＰやコンピュータなどであってもよい。
【００５３】
携帯端末装置の変換アプリケーションは、解除キー表現をデジタル解除キーへ変換し、その後、デジタル解除キーは暗号化ファイルを解読するのに使用される。本発明の一形態では、携帯端末装置のカメラは、解除キーを表す画像を撮影し、第２外部装置の表示部（表示画面）上へ提供する。例えば、その画像は、クイックレスポンス（ＱＲ）コードの画像であってもよい。
【００５４】
暗号化ファイルを携帯端末装置へ無線送信するための方法も提供される。ＭＦＰ、コンピュータ、又はネットワーク・サーバなどの第１の装置は、携帯電話またはWiFiなどの無線インターフェースを用いて、暗号化ファイルを第１の携帯端末装置へ送信する。第２の装置は、解除キー表現を前記携帯端末装置へパーソナル近接インターフェース（表示部、音声スピーカ、印字シートまたは近接場ＲＦ送信器）を介して送信する。上記のように、前記第１の装置および第２の装置は同じ装置であってもよい。
【００５５】
上記した方法、パーソナル近接インターフェースを有する無線携帯端末装置、および携帯端末装置へ無線送信される暗号化ファイルを安全に送信するシステムのさらなる詳細は、後述する。
【発明の効果】
【００５６】
本発明の携帯端末装置は、以上のように、第１外部装置から暗号化された暗号化ファイルを無線にて受信する暗号化ファイル受信部と、第２外部装置から、前記暗号化ファイルに関する解除キーを表わす解除キー情報を無線にて受信する解除キー情報受信部と、を備える。
【００５７】
上記構成によると、暗号化ファイルは暗号化ファイル受信部により無線にて受信し、暗号化ファイルに関する解除キーを表わす解除キー情報は、解除キー情報受信部により無線にて受信する。よって、暗号化ファイルを解読（復号）する解除キーを第三者に漏れることなく受信でき、かつ、暗号化ファイルを安全に受信することが可能となる。
【００５８】
また、本発明のシステムは、以上のように、前記暗号化ファイルを携帯端末装置へ無線にて送信するための暗号化ファイル送信部を有する第１装置と、前記携帯端末装置へ無線にて前記暗号化ファイルに関する解除キーを表わす解除キー情報を送信するための解除キー情報送信部を有する第２装置と、を備え、前記解除キー情報送信部は、表示画面、音声スピーカ、印字シートおよび近接場での無線周波数を送信可能なＲＦ送信器のいずれか１つであることを特徴としている。
【００５９】
上記構成によると、暗号化ファイルは第１装置の暗号化ファイル送信部により無線にて送信し、暗号化ファイルに関する解除キーを表わす解除キー情報は、第２装置の解除キー情報送信部により送信する。よって、暗号化ファイルを復号する解除キーを第三者に漏れることなく携帯端末装置に送信でき、かつ、暗号化ファイルを安全に携帯端末装置に送信することができる。
【図面の簡単な説明】
【００６０】
【図１】無線インターフェースを介して通信された暗号化ファイルを保護するためのパーソナル近接インターフェースを備えた無線携帯端末装置の概略ブロック図である。
【図２】図１のシステムの他の形態であり、第１遠隔装置および第２遠隔装置が１つの装置となっている形態の、概略ブロック図であり、
【図３】携帯端末装置の都合で取り出せるように暗号化文書を保存する公共の文書サーバの使用に関するイベントの流れを示す図である。
【図４】携帯端末装置に無線送信されたファイルを安全に復号化するための方法を示すフローチャートである。
【図５】携帯端末装置に無線送信された暗号化ファイルを保護するための方法を示すフローチャートである。
【発明を実施するための形態】
【００６１】
以下、本発明の実施形態について、以下に図を参照して説明する。
【００６２】
図１は、無線インターフェースを介して通信された暗号化されたファイル（暗号化ファイル）を保護するためのパーソナル近接インターフェースを備えた無線型の携帯端末装置の概略ブロック図である。携帯端末装置１００は、無線インターフェース（暗号化ファイル受信部）１０２を備えている。無線インターフェース１０２は、例えば、携帯電話あるいはWiFi（登録商標）（IEEE８０２．１１）インターフェースであり、第１外部装置（第１装置）１０４から暗号化ファイル１０３を受信するものである。明確に描かれていないが、携帯端末装置１００は、無線インターフェースの代わりにハードウェアに組み込まれたインターフェースを使用してもよい。ただし、ハードウェアに組み込まれたネットワークは、盗聴の感度が低い。文書の暗号化の方法が複数当業者に知られており、そのうちのいくつかは、ここに記載の装置で可能となる。対称キー・アルゴリズムと同様に公開キーが使用されてもよい。携帯端末装置１００は、さらに、例えば、カメラ、マイクロフォン、プリンタあるいは近接場無線周波数（ＲＦ）検出器といった、パーソナル接近インターフェース（解除キー情報受信部）１０５を備えている。パーソナル接近インターフェース１０５は、第２外部装置（第２装置、画像形成装置、ＭＦＰ）１０８から解除キー表現（解除キーを表わす解除キー情報）１０６を受信する。また、携帯端末装置１００は、携帯電話装置１００に含まれる各ブロックを制御する制御部１１４と、各種データを記録するローカルメモリ１１２とを備えている。さらに、携帯端末装置１００は、解除キー変換アプリケーション（解除キー変換部）１１０、ファイル処理アプリケーション（ファイル処理部）１１８を備えている。
【００６３】
解除キー変換アプリケーション１１０、解除キー表現１０６をデジタル解除キー１１６に変換するものでありローカルメモリ１１２に格納されたソフトウェア命令のシーケンスとして可能になり、制御部１１４により実行される。
【００６４】
ファイル処理アプリケーション１１８は、デジタル解除キー１１６を使用して暗号化ファイル１０３を復号化するものであり、ローカルメモリ１１２に格納されたソフトウェア指示のシーケンスとして可能になり、制御部１１４により実行される。
【００６５】
実施の一形態では、パーソナル接近インターフェース１０５は、解除キー１０６を表わす画像を撮影するカメラである。解除キー１０６は、第２外部装置１０８のパーソナル接近インターフェース（解除キー情報送信部）１２０の表示部にて提供される、あるいは、用紙上に印刷される。例えば、解除キー表現は、クイックレスポンス（ＱＲ）コードの画像であってもよい。ＱＲコード（商標登録）は、専用のＱＲコード・リーダおよびカメラ付き携帯電話によって判読可能な、特定の種類のマトリックスあるいは二次元バーコードである。このコードは、白地上に正方形のパターンの中に配置された黒いモジュールから成る。コード化された情報は、キーコードのような、テキスト、ＵＲＬあるいは他のデータであってもよい。グーグルのモバイルのアンドロイド（商標登録）のオペレーティング・システムは、いくつかのモデル上で予めバーコード・スキャナ(ZXing)を有していることにより、ＱＲコードをサポートする。
【００６６】
ノキアのSymbian（登録商標）・オペレーティング・システムもＱＲコードを読み取るバーコード・スキャナを有しており、mbarcodeはMAEMO（登録商標）のオペレーティング・システムのためのＱＲコードである。アップル（登録商標）のiOSには、ＱＲコード・リーダは予め含まれていない。しかしながら、コード・リーダの能力のある多くのフリー・アプリケーションが利用可能である。より一般的には、パーソナル接近インターフェースは、従来のバーコードあるいは他のタイプのメッセージ・フォーマットを読み取るように構成されていてもよい。実施の一形態では、パーソナル接近インターフェースは、１０進数、１６進数あるいは２進数で記述されたシーケンスとして表される解除キー情報を読み取ることができる。
【００６７】
他の実施形態では、パーソナル接近インターフェース１０５は、解除キー１０６を表わすオーディオ・シーケンスを捕らえるマイクロフォンであり、解除キー１０６は、第２外部装置１０８のパーソナル接近インターフェース１２０であるスピーカ（音声スピーカ）により提供される。例えば、オーディオ・シーケンスは、ファクシミリ通信としてフォーマットされてもよい。あるいは、パーソナル接近インターフェース１０５は、ＲＦ識別（ＲＦＩＤ）タグ・リーダであってもよく、また、第２外部装置１０８のパーソナル接近インターフェース１２０は、上記リーダに非常に近接して信号を送信する受動素子であってもよい。Bluetoothは、別のパーソナル接近インターフェースとして利用可能である。しかしながら、Bluetoothの発信機のパワーレベルによって、これらの信号は盗聴に対して感度がよくなる。同じ実施形態で、Bluetoothが、無線インターフェース１０２として使用されてもよい。
【００６８】
第１外部装置１０４は、無線インターフェース（暗号化ファイル送信部）１２２から暗号化ファイルを携帯端末装置１００に送信する。第１外部装置１０４は、多機能周辺装置(ＭＦＰ)、ネットワーク・サーバあるいはコンピュータであってもよい。ここで使用されるように、ＭＦＰは、文書のスキャンが可能な装置であり、また典型的に、コピー機および印刷機としての機能を備え、そして、典型的に、ネットワーク・インタフェースを有する。暗号化ファイルは、ＭＦＰにてスキャンされたファイルであってもよい。一実施形態では、このファイルは、ＭＦＰにてスキャンされて暗号化され、暗号化されたファイルは、（安全な無線リンクを介して）第１の携帯端末装置として作用するサーバに送信される。この実施形態では、ＭＦＰは第２外部装置として作用してもよい。別の実施形態では、ＭＦＰは、ファイルをスキャンし暗号化し、それを、第１外部装置１０４として作用するコンピュータあるいは無線・アクセス・ポイントに送信してもよい。同様に、ＭＦＰは第２外部装置１０８として作用する。
【００６９】
図２は、図１のシステムの変形であり、第１外部装置と第２外部装置とが同じ装置である場合の、概略ブロック図である。一実施形態では、第１／第２遠隔装置１０４／１０８は、ＭＦＰである。この実施形態では、ＭＦＰ１０４／１０８は、ファイルをスキャンし、ファイルを暗号化し、無線インターフェース１２２を介して暗号化ファイルを送り、そして、パーソナル接近インターフェース１２０を介して解除キー表現１０６を送る。他の実施形態では、第１／第２遠隔装置１０４／１０８はコンピュータである。コンピュータ１０４／１０８は記憶装置からファイルを検索する。ファイルが既に暗号化されている場合、コンピュータはさらに解除キーにアクセスする。ファイルがまだ暗号化されない場合、暗号化プロセスが実行され、また、解除キーが生成される。暗号化ファイルは無線インターフェース１２２を介して、解除キー表現１０６はパーソナル接近インターフェース１２０を介して、送信される。
【００７０】
異なる観点から図１を見ると、携帯端末装置１００へ無線送信された暗号化ファイルを安全に送信するためのシステムが提供される。
【００７１】
システム１３０は、第１の無線インターフェース１２２を有する第１外部装置１０４を備えている。第１の無線インターフェース１２２は、第１の携帯端末装置１００へ暗号化されたファイルを送るための、例えば、携帯電話またはＷｉＦｉインターフェースである。
第２外部装置１０８は、第１の携帯端末装置１００解除キー表現１０６を送信するパーソナル接近インターフェース１２０を有する。第１の携帯端末装置１００では、接近インターフェース１２０は、表示画面、オーディオ・スピーカー、印字シートあるいは近接場ＲＦ発信機である。
【００７２】
実施の一形態では、第２外部装置１０８のローカルのメモリ１３４にソフトウェア命令のシーケンスとして格納され、かつ制御部１３６によって実行される暗号化アプリケーション１３２は、ファイル１３８を受信するかスキャンし、そして、暗号化ファイルおよびデジタル解除キーを作成する。ローカルメモリ１３４にソフトウェア命令のシーケンスとして格納され、制御部１３６によって実行されるキー変換アプリケーション（キー変換部）１４０は、暗号化ファイルに関連したデジタル解除キーを受理し、デジタル解除キーを解除キー表現に変換する。
【００７３】
別の実施の形態では、第１外部装置１０４は、ネットワーク・サーバである。また、第２外部装置１０８はＭＦＰである。ＭＦＰ１０８は、文書１３８をスキャンし、スキャンしたファイルを暗号化し、暗号化されたファイルをサーバ１０４にネットワーク接続を介してオンライン１０４で送信する。
さらに、通常、第１外部装置１０４は、ＭＦＰ、ネットワーク・サーバ、コンピュータあるいは無線・アクセス・ポイントであってもよい。その一方で、第２外部装置１０８は、一般的に、ＭＦＰかコンピュータのいずれかである。
【００７４】
実施の一形態では、第２外部装置のパーソナル接近インターフェース１２０は、解除キーを表わす画像を表示するための表示画面、あるいは解除キーを表す画像を用紙上に印刷するためのプリンタ装置である。例えば、解除キー表現は、ＱＲコード画像であってもよい。別の実施の形態では、第２外部装置のパーソナル接近インターフェース１２０は、解除キーの音声表現を発するスピーカ、あるいはＲＦＩＤ発信機である。
【００７５】
図２に戻り、実施の一形態では、第１外部装置と第２外部装置とは、同じ装置（１つの装置）１０４／１０８であってもよい。上記で説明したように、この組み合わせた装置は、一般的には、ＭＦＰかあるいはコンピュータである。
【００７６】
（機能的説明）
一実施形態では、携帯端末装置のユーザは、文書の宛先を取り決めるためにネットワーク・サーバとコンタクトを取るアプリケーションを携帯端末装置上で実行する。宛先は、直接携帯端末装置自身（図１参照）か、あるいは、携帯端末装置が暗号化文書を検索できる遠隔サーバ上に配置された記憶部（図２参照）か、である。その後、ユーザは、ＭＦＰの上の文書アプリケーションを起動する。文書アプリケーションは、文書のスキャンを開始しそして暗号化し、その後、暗号化文書を携帯端末装置へ直接あるいは中間サーバを介して配信する。暗号キーは、ＭＦＰによって任意に生成されてもよい。また、それは長い(128の任意の文字、それ以上)と通信するのが難しいかもしれない。
【００７７】
実施の一形態では、その後キーは、バーコード画像において１２８から２０４８文字の間でエンコードすることができる、ＱＲコード画像（原文の情報フィールドを送信するために使用されるバーコードを付ける形式）あるいは同様のバーコードとして、ＭＦＰ上でローカルにエンコードされる。ＭＦＰは、文書が、スキャンされ、暗号化され、ネットワークを介して送信されると、ＭＦＰのフロントパネルにバーコード画像を表示する。ＭＦＰがＱＲコードを表示するとともに、携帯端末装置のユーザは、携帯端末装置に備えられたカメラを使用し、バーコード画像をスキャンし、かつそれを解読する。ＱＲコードは、一旦暗号化文書として携帯端末装置に配信される文書を開くために使用できる解除キーを含んでいる。
【００７８】
解除キーが公衆網を介して伝送されず、かつ、文書が文書記憶サーバにさえ知られていないパスワードにてデジタルに暗号化されるので、文書は文書の内容の機密性を常に危険に晒されることなく、携帯端末装置に配達される。
【００７９】
この種のシステムへの付加価値として、第１のユーザは、ＱＲコードを格納し、その後、ＱＲコードを第１のユーザの装置スクリーン上に表示、あるいは紙にＱＲコードを印刷し表示することで、第２のユーザあるいはユーザ達へ直接文書を送信するこのシステムを使用することもできる。そして、第２のユーザは、同じあるいは同様のＱＲコード・リーダのソフトウェアを使用して、第１のユーザと同じ方法にて解除キーを取得し、文書を復号化する。
【００８０】
暗号化キーがネットワークを介して送信されないので、文書を後に解読するために、バーコード画像を保存するか印刷して使用することがある。解読には、文書の搬送体（キャリア）が必要とする状況に基づく可能性のある中間通信が用いられる。
【００８１】
図３は、携帯端末装置が都合のよい時に検索するよう、暗号化文書を格納する公用の文書サーバの使用に関連するイベントのシーケンスを描く図である。解除キーがネットワークに常に置かれないため、この処理は安全である。ステップ３００では、携帯端末装置は、処理を始める際、ＭＦＰ１０８のＨＴＴＰアドレスを送信する。ステップ３０２ａおよび３０２ｂでは、アプリケーションがＭＦＰ１０８で開始され、ＭＦＰとサーバとの間で通信が確立される。実施の一形態では、サーバは、解除キー表現の暗号化および／または生成を可能にするアプリケーションをＭＦＰに提供する。ステップ３０４では、ＭＦＰにて文書がスキャンされる。ステップ３０６では、ＭＦＰにて暗号化ファイルが生成される。実施の一形態では、ステップ３０８にて、暗号化ファイルが携帯端末装置へ直接送信される。あるいは、暗号化ファイルは、ステップ３１０ａにてサーバに送信され、その後、サーバは、ステップ３１０ｂにて携帯端末装置へ暗号化ファイルを送信する。ステップ３１２では、ＭＦＰは携帯端末装置へ復号キー表現を送り、ステップ３１４にて、携帯端末装置は、ファイルを解読するキーを使用する。
【００８２】
従って、携帯端末装置は、解除キーを得るために、時間に依存し、かつキー・ソースに対して視覚的に接近したキーと無関係のコンテンツを得る。符号化データはどのような文書へも埋め込まれまれない。携帯端末装置は、例えば、ネットワークを介してキー情報を送信する要求を除去しながら、バーコードを使用して復号化する。一方で、暗号化文書は、広帯域の公衆網を介して安全に送信することができる。文書を開くために使用されるキーは、文書に格納されないし、復号が完成した後使用されない。要約すると、バーコード、あるいは、他のパーソナル接近インターフェースは、公衆網を介した文書に、リンクする、検索する、あるいは検査するためには使用されない。より正確に言えば、バーコードは、ネットワークを介したどのような復号キー・データを送信する必要のない、安全なキー変換メカニズムである。
【００８３】
図４は、携帯端末装置へ無線送信されるファイルを安全に解読する方法を説明するフローチャートである。本方法は、明確にするために、番号を付したステップのシーケンスとして描かれているが、番号は必ずしもステップの順序を決定するものではない。これらのステップのうちのいくつかが、スキップされるかもしれないし、並行して実行されるかもしれないし、あるいは、シーケンスの厳密な順序を維持する要求なしに実行されるかもしれないことが、理解されるであろう。しかしながら一般的には、本方法は、描かれたステップの番号順に続けられる。本方法はステップ４００からスタートする。
【００８４】
ステップ４０２では、第１の携帯端末装置は、第１の無線インターフェースを備え、第１外部装置から暗号化ファイルを受信する。第１の無線インターフェースは、携帯電話あるいはWiFiインターフェースあるいは他の公衆網のインターフェースであってもよい。暗号化ファイルは、ＭＦＰ、ネットワーク・サーバあるいはコンピュータから受信されてもよい。実施の一形態では、ステップ４０２で受信される暗号化ファイルは、予めＭＦＰにてスキャンされたものであってもよい。
【００８５】
ステップ４０４では、パーソナル接近インターフェースを介して第２外部装置から解除キー表現を受信する。パーソナル接近インターフェースのいくつかの例は、カメラ、マイクロフォン、近接場ＲＦ検出器である。あるいはいくつかの状況では、ブルートゥース・トランシーバである。別の実施形態では、携帯端末装置のカメラは、第２外部装置の表示画面上で提供される第１の解除キーを表わす画像(例えばＱＲコード)を撮影する。
【００８６】
ステップ４０６では、ローカルメモリに格納され制御部によって実行されるソフトウェア命令のシーケンスとして第１の携帯端末装置メモリに埋め込まれた第１の携帯端末装置の変換アプリケーションは、解除キー表現をデジタル解除キーに変換する。ステップ４０８では、暗号化ファイルを解読するためにデジタル解除キーが使用される。
【００８７】
図５は、携帯端末装置へ無線送信された暗号化ファイルを保護する方法を説明するフローチャートである。本方法は、ステップ５００からスタートする。ステップ５０２にて、携帯電話のインターフェースまたはワイファイのインターフェースのような第１の無線インターフェースを有する第１外部装置は、第１の携帯端末装置へ暗号化ファイルを送信する。ステップ５０４にて、第２外部装置はパーソナル接近インターフェースを介して第１の携帯端末装置へ解除キー表現を送信する。パーソナル近接インターフェースは、表示画面、オーディオ・スピーカー、印字シートあるいは近接場RF発信機であってもよい。一実施形態では、ステップ５０４を行う第２外部装置は、解除キーを表わす画像（例えばＱＲコード）を表示するディスプレイを含んでいる。実施の一形態では、ステップ５０３で、制御部によって実行されるソフトウェア命令のシーケンスとしてローカルメモリに格納された第２外部装置のキー変換アプリケーションは、暗号化ファイルに関連したデジタル解除キーを解除キー表現に変換する。
【００８８】
実施の一形態では、第１外部装置と第２外部装置とは同じ装置である。一般に、ステップ５０２を行う第１外部装置はＭＦＰ、ネットワーク・サーバあるいはコンピュータである。また、ステップ５０４を行う第２外部装置はＭＦＰかコンピュータである。他の実施形態では、ステップ５０１ａにて、ＭＦＰは文書をスキャンする。ステップ５０１ｂにて、ＭＦＰはスキャンしたファイルを暗号化する。ステップ５０１ｃにて、ＭＦＰはネットワーク接続を介してサーバに暗号化ファイルを送信する。その後のステップ５０２での暗号化ファイルの送信は、ネットワーク・サーバから暗号化ファイルを送信することを含んでいる。
【００８９】
以上により、公衆ネットワークを介して暗号化ファイルを安全に送信するためのシステムと方法とが提供された。なお、特別の通信構造およびプロセス・フローの例は、発明を説明するために示したものである。よって、本発明は、上記した実施形態に制限されることはない。発明の他のバリエーションおよび実施形態は、当業者に理解できる。
【００９０】
本発明のいくつかの実施形態では、携帯端末装置１００、第１外部装置、第２外部装置を、ハードウェアロジックによって構成してもよいし、次のようにＣＰＵを用いてソフトウェアによって実現してもよい。
【００９１】
すなわち、携帯端末装置１００、第１外部装置１０４、または第２外部装置１０８は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラム及び各種データを格納するメモリ等の記憶装置（記録媒体）などを備えている。そして、本発明の目的は、上述した機能を実現するソフトウェアである携帯端末装置１００、第１外部装１０４、または第２外部装置１０８の各制御プログラムのプログラムコード（実行形式プログラム、中間コードプログラム、ソースプログラム）をコンピュータで読み取り可能に記録した記録媒体を、携帯端末装置１００、第１外部装置１０４、または第２外部装置１０８に供給し、そのコンピュータ（またはＣＰＵやＭＰＵ）が記録媒体に記録されているプログラムコードを読み出し実行することによっても、達成可能である。
【００９２】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、あるいはマスクＲＯＭ／ＥＰＲＯＭ／ＥＥＰＲＯＭ／フラッシュＲＯＭ等の半導体メモリ類、ＰＬＤ（Programmable logic device）等の論理回路類などを用いることができる。
【００９３】
また、携帯端末装置１００、第１外部装置１０４、または第２外部装置１０８を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００９４】
本発明は上述した各実施形態に限定されるものではなく、種々の変更が可能である。すなわち、本発明の要旨を逸脱しない範囲内において適宜変更した技術的手段を組み合わせて得られる実施形態についても本発明の技術的範囲に含まれる。
【００９５】
また、本発明は、次のように表現してもよい。すなわち、本発明の方法は、携帯端末装置へ無線送信されるファイルを安全に解読する方法であって、携帯端末装置が、第１外部装置から暗号化ファイルを受け取るために、携帯電話およびWiFiインターフェースからなる群から選択される第１無線インターフェースを有する工程と、カメラ、マイクロフォン、および近接場無線周波数（RF）検出器からなる群から選択されるパーソナル近接インターフェースを介して、第２外部装置から解除キー表現を受信する工程、を含む方法として表現される。
【００９６】
また、本発明の方法は、上記方法に加え、前記暗号化ファイルを受信する工程が、複合機（ＭＦＰ）、ネットワーク・サーバ、およびコンピュータからなる群から選択される前記第１外部装置から暗号化ファイルを受信する工程を含んでいてもよい。
【００９７】
また、本発明に係る方法は、上記方法に加え、前記暗号化ファイルを受信する工程が、ＭＦＰにてスキャンされた暗号化文書を受信する工程を含んでいてもよい。
【００９８】
また、本発明の方法は、上記方法に加え、制御部によって実行可能なソフトウェア命令のシーケンスとして携帯端末装置のローカルメモリに内蔵された第１携帯端末変換アプリケーションが、前記解除キー表現をデジタル解除キーへ変換する工程と、前記デジタル解除キーを用いて前記暗号化ファイルを解読する工程と、をさらに含んでいてもよい。
【００９９】
また、本発明の方法は、上記方法に加え、前記解除キー表現を受信する工程は、前記携帯端末装置のカメラが、第２外部装置の表示画面に提供された前記解除キーを表示する画像を撮影する工程を含んでもよい。
【０１００】
また、本発明の方法は、上記方法に加え、前記画像を撮影する工程は、クイックレスポンス（QR）コード画像を撮影する工程を含んでもよい。
【０１０１】
また、本発明の方法は、携帯端末装置へ無線送信される暗号化ファイルを保護する方法であって、第１装置が、携帯電話およびWiFiインターフェースからなる群から選択される第１無線インターフェースを有し、暗号化ファイルを携帯端末装置へ送信する工程と、第２装置が暗号化されたキー表現を前記携帯端末装置へ、表示画面、音声スピーカ、印字シート、および近接場無線周波数（RF）送信器からなる群から選択されるパーソナル近接インターフェースを介して送信する工程とを含む方法、と表現してもよい。
【０１０２】
また、本発明の方法は、上記方法に加え、記第１装置および第２装置は同じ装置であってもよい。
【０１０３】
また、本発明の方法は、上記方法に加え、さらに複合機（ＭＦＰ）が文書をスキャンする工程、前記ＭＦＰがスキャンしたファイルを暗号化する工程、および前記ＭＦＰが前記暗号化ファイルをサーバへネットワーク接続を介して送信する工程、を含み、前記ＭＦＰが暗号化ファイルを送信する工程が、前記暗号化されたファイルを前記ネットワーク・サーバから送信する工程を含んでいてもよい。
【０１０４】
また、本発明の方法は、上記方法に加え、前記暗号化ファイルを送信する工程が、前記暗号化されたファイルを、ＭＦＰ、ネットワーク・サーバ、およびコンピュータからなる群から選択される第１装置から送信する工程を含み、さらに、前記解除キー表現を送信する工程が、前記解除キー表現を、前記ＭＦＰおよび前記コンピュータからなる群から選択される第２装置によって送信する工程を含んでもよい。
【０１０５】
また、本発明の方法は、上記方法に加え、前記解除キー表現を送信する工程が、第２装置の表示部が、前記解除キーを表す画像を提示する工程を含んでいてもよい。
【０１０６】
また、本発明に係る方法は、上記方法に加え、前記画像を提示する工程は、前記第２装置がクイックレスポンス（QR）コードの画像として解除キーを提示する工程を含んでもよい。
【０１０７】
また、本発明の方法は、上記方法に加え、プロセッサによって実行されるソフトウェア命令のシーケンスとしてローカルメモリに保存された、第２装置のキー変換アプリケーションが、前記暗号化ファイルに関連するデジタル解除キーを前記解除キー表現に変換してもよい。
【０１０８】
また、本発明は、次のように表現してもよい。すなわち、本発明の携帯端末装置は、無線インターフェースを介して送信された暗号化ファイルを保護するための、パーソナル近接インターフェースを備えた無線型携帯端末装置であって、第１外部装置から暗号化ファイルを受信する、携帯電話およびWiFiインターフェースからなる群から選択される第１無線インターフェースと、第２外部装置から、解除キー表現を受け取る、カメラ、マイクロフォン、および近接場無線周波数（RF）検出器からなる群から選択されるパーソナル近接インターフェースと、ローカルメモリに保存され、かつ制御部によって実行可能な、ソフトウェア命令のシーケンスとして利用可能な解除キー表現をデジタル解除キーへ変換する、解除キー変換アプリケーションと、を備えてなる装置、と表現してもよい。
【０１０９】
また、本発明の携帯端末装置は、上記構成に加え、前記第１無線インターフェースが、前記暗号化ファイルを、複合機（ＭＦＰ）、ネットワーク・サーバ、およびコンピュータからなる群から選択される前記第１外部装置から受信してもよい。
【０１１０】
また、本発明の携帯端末装置では、上記構成に加え、前記暗号化ファイルは、復号機によってスキャンされた文書ファイルであってもよい。
【０１１１】
また、本発明の携帯端末装置は、上記構成に加え、ローカルメモリに保存されかつ前記プロセッサによって実行可能なソフトウェアのシーケンスとして利用可能な、前記デジタル暗号キーを用いて前記暗号化ファイルを解読する、ファイル処理アプリケーションをさらに備えていてもよい。
【０１１２】
また、本発明の携帯端末装置では、上記構成に加え、前記パーソナル近接インターフェースは、第２外部装置の表示画面に提供された前記解除キーを表示する画像を撮影するカメラであってもよい。
【０１１３】
また、本発明の携帯端末装置では、上記構成に加え、前記パーソナル近接インターフェースは、前記画像として、クイックレスポンス（QR）コード画像を撮影してもよい。
【０１１４】
また、本発明の携帯端末装置では、上記構成に加え、前パーソナル近接インターフェースは、第２外部装置のスピーカによって提供される解除キーを表す音声シーケンスを取得するマイクロフォンであってもよい。
【０１１５】
また、本発明は、次のように表現してもよい。すなわち、本発明のシステムは、暗号化ファイルを携帯端末装置へ安全に無線送信するシステムであって、暗号化ファイルを第１携帯端末装置へ送信するために、携帯電話およびWiFiインターフェースからなる群から選択される第１無線インターフェースを有する第１装置、および、第１携帯端末装置へ解除キー表現を送信するためのパーソナル近接インターフェースを有する第２装置を備え、前記パーソナル近接インターフェースは、表示画面、音声スピーカ、印字シートおよび近接場無線周波数（RF）発信器からなる群から選択されるシステム、と表現できる。
【０１１６】
また、本発明のシステムでは、上記構成に加え、前記第１装置および前記第２装置は同じ装置であってもよい。
【０１１７】
また、本発明のシステムでは、上記構成に加え、前記第２装置が、複合機（ＭＦＰ）であり、前記ＭＦＰが文書をスキャンし、スキャンしたファイルを暗号化し、暗号化した暗号化ファイルをサーバへネットワーク接続を介して送信してもよい。
【０１１８】
また、本発明のシステムでは、上記構成に加え、前記第１装置は、ＭＦＰ、ネットワーク・サーバ、およびコンピュータからなる群から選択され、かつ、前記第２装置は、ＭＦＰおよびコンピュータからなる群から選択されてもよい。
【０１１９】
また、本発明のシステムでは、上記構成に加え、前記第２装置の近接インターフェースは、前記解除キーを表す画像を提示するための表示画面であってもよい。
【０１２０】
また、本発明のシステムでは、上記構成に加え、前記第２装置は、前記解除キーをクイックレスポンス（QR）コードの画像として提示してもよい。
【０１２１】
また、本発明のシステムでは、上記構成に加え、前記第２装置の近接インターフェースは、前記解除キーの音声表現を放送するスピーカであってもよい。
【０１２２】
また、本発明のシステムでは、上記構成に加え、前記第２装置内に、ソフトウェア命令のシーケンスとしてローカルメモリに保存されかつプロセッサによって実行可能な、キー変換アプリケーションをさらに備え、前記暗号化ファイルに関連するデジタル解除キーを受信し、前記デジタル解除キーを前記解除キー表現に変換してもよい。
【０１２３】
本発明は上述した各実施形態に限定されるものではなく、種々の変更が可能である。すなわち、本発明の要旨を逸脱しない範囲内において適宜変更した技術的手段を組み合わせて得られる実施形態についても本発明の技術的範囲に含まれる。
【産業上の利用可能性】
【０１２４】
本発明は、無線通信型の携帯端末装置に原稿ファイルを送信するシステムに利用可能である。
【符号の説明】
【０１２５】
１００  携帯端末装置
１０２  無線インターフェース（暗号化ファイル受信部）
１０３  暗号化ファイル
１０４  第１外部装置（第１装置）
１０５  パーソナル近接インターフェース（解除キー情報受信部）
１０６  解除キー表現（解除キーを表わす解除キー情報）
１０８  第２外部装置（第２装置、画像形成装置、ＭＦＰ）
１１２  ローカルメモリ
１１４  制御部
１１６  デジタル解除キー
１１８  ファイル処理アプリケーション（ファイル処理部）
１１０  解除キー変換アプリケーション（解除キー変換部）
１２０  パーソナル近接インターフェース（解除キー情報送信部）
１２２  無線インターフェース（暗号化ファイル送信部）
１３２  暗号化アプリケーション
１３４  メモリ
１４０  キー変換アプリケーション（キー変換部）
【図１】
2012231450.tif 000003
【図２】
2012231450.tif 000004
【図３】
2012231450.tif 000005
【図４】
2012231450.tif 000006
【図５】
2012231450.tif 000007